(57)【要約】【課題】名刺の記載相手に対する、電話、ファクシミリ、Ｅメールの送信操作やインターネットのホームページへのアクセスを容易に実行可能な名刺及びその利用方法を提供する。【解決手段】名刺の記載者に関連する電子データを外部装置から読取り可能に記録した電子データ付名刺であって、前記電子データには、氏名、住所、電話番号、ファクシミリ番号、Ｅメール番号及びホームページアドレスの内の少なくとも１つが含まれている電子データ付名刺。【選択図】　図２
2004090339.tif 000002
【特許請求の範囲】
【請求項１】
名刺の記載者に関連する電子データを外部装置から読取り可能に記録した電子データ付名刺であって、
前記電子データには、氏名、住所、電話番号、ファクシミリ番号、Ｅメール番号及びホームページアドレスの内の少なくとも１つが含まれていることを特徴とする電子データ付名刺。
【請求項２】
前記電子データの内の、住所、電話番号、ファクシミリ番号、Ｅ−メール番号及びホームページアドレスには識別データが含まれ、該識別データは、「〒」「ＴＥＬ」「ＦＡＸ」「Ｅ−ｍａｉｌ」及び「ｈｔｔｐ：」で構成されていることを特徴とする請求項１に記載の電子データ付名刺。
【請求項３】
前記電子データは、名刺の周辺部の一部に磁気的に記録されていることを特徴とする請求項１又は２に記載の電子データ付名刺。
【請求項４】
前記電子データは、名刺の周辺部の一部に設けられたＩＣチップに記録されていることを特徴とする請求項１又は２に記載の電子データ付名刺。
【請求項５】
前記請求項１〜４のいずれか１項に記載の電子データ付名刺に記録された電子データを識別データを基に選択的に読取る読取部を備えたことを特徴とする送信端末。
【請求項６】
送信端末に電子データ付名刺の記録データを読取り可能にセットするステップと、
送信対象に対応した識別データを指定するステップと、
前記指定された識別データに関連する電子データを電子データ付名刺から読出すステップと、
前記読出された電子データによって送信動作を実行するステップと、
を含むことを特徴とする請求項１〜４記載の電子データ付名刺を使用した送信方法。
【請求項７】
送信端末に電子データ付名刺の記録データを読取り可能にセットするステップと、
前記電子データ付名刺から電子データを読出すステップと、
前記読出された電子データを識別データに対応させて送信端末の記憶手段に蓄積するステップと、
を含むことを特徴とする請求項１〜４記載の電子データ付名刺を使用したアドレスデータの管理方法。
【請求項８】
前記送信端末に電子データ付名刺の記録データを読取り可能にセットするステップは、前記電子データ付名刺の記録された部分を送信端末の読取部に接触又は接近させることによって実行されることを特徴とする請求項６又は７に記載の方法。
【発明の詳細な説明】
【０００１】
【発明の属する技術分野】
本発明は、電子データの読出し可能な名刺及び当該名刺を用いて電話やインターネットのホームページに容易にアクセスするものに関する。
【０００２】
【従来の技術】
従来のインターネットのウェブページ（ホームページ）に容易にアクセスする媒体としては、次のものが知られている。（例えば、特許文献１）
【０００３】
（特許文献１）
特開２００２−６３１９８号公報
【０００４】
上記刊行物に記載の技術を図４を用いて説明する。
図４は上記刊行物のウェブページ閲覧カードの一実施例を示す図であり、ウェブページ閲覧カードとして非円形の光記憶部を備えたＣＤカード１０を用いた例を示す。
また、図４で符号１は基板（非伝導性の素材からなるカード基板（本実施例では合成樹脂または紙を用いている））、符号２は光記憶トラック、符号３はカード１の中心に設けられた孔、を示す。
なお、図４では非円形の光記憶部２を備えたＣＤカード１０を例示したが、光記憶部２は円形の光記憶トラックのみからなっていてもよい。
【０００５】
図４で、ＣＤカ―ド１０は名刺状の形状をなし、表側には図４（ａ）に示すようにウェブページ開設者（病院、学校、旅行会社、販売店、団体、・・・等、業態及び法人／個人の別を問わない：以下、「スポンサー」と記す）、名称５、所属部署名６、担当者名７、連絡先８が印刷されている（事業内容や取扱商品等を印刷するようにしてもよい）。
これらウェブページ開設者名称５、所属部署名６、担当者名７、連絡先８や事業内容や取扱商品等の印刷情報は図４（ｂ）に示す光記憶部２に記憶されたウェブページアドレス情報又はウェブページ開設者識別情報に対応するウェブページアドレス情報（ホームページアドレス）によってウェブページ開設者が開設したウェブページに対応付けられており、後述するようにユーザは端末に接続又は内蔵されたＣＤカード装置にＣＤカード１０（ウェブページ閲覧カード）を挿入するだけで、ウェブページ開設者の開設したウェブページの先頭ページ（ホームページ）とリンクし、印刷情報（５〜８）に対応した情報内容を含むウェブページを閲覧することができる。
【０００６】
【発明が解決しようとする課題】
上述の刊行物に記載のウェブページ閲覧カードには、ウェブページ開設者の名称や連絡先等が印刷されていて、名刺に類似した機能は有しているが、本来の目的がウェブページ閲覧であるために、基板に形成された光記憶トラックにデータを記憶するというＣＤに準じた複雑な構成であり、読取り側もＣＤに準じた読取り装置を必要とするという問題点がある。
また、日常の名刺交換等で所有している名刺から電話番号やメールのアドレスを読取る際には読取り誤りが生じたり、読取った電話番号やＥメールアドレスの入力ミスも生じるという問題点があった。
【０００７】
本発明の課題
（目的）は、通常の名刺に若干の改善を加えることによって、当該名刺の記載相手に対する、電話、ファクシミリ、Ｅメールの送信操作やインターネットのホームページへのアクセスを容易に実行可能な名刺及びその利用方法を提供することにある。
【０００８】
【課題を解決するための手段】
前記課題を解決するために、名刺の記載者に関連する電子データを外部装置から読取り可能に記録した電子データ付名刺であって、
前記電子データには、氏名、住所、電話番号、ファクシミリ番号、Ｅメール番号及びホームページアドレスの内の少なくとも１つが含ませる。（請求項１）
【０００９】
また、前記電子データの内の、住所、電話番号、ファクシミリ番号、Ｅ−メール番号及びホームページアドレスには識別データが含まれ、該識別データは、「〒」「ＴＥＬ」「ＦＡＸ」「Ｅ−ｍａｉｌ」及び「ｈｔｔｐ：」で構成する。（請求項２）
また、前記電子データは、名刺の周辺部の一部に磁気的に記録する。（請求項３）
また、前記電子データは、名刺の周辺部の一部に設けられたＩＣチップに記録する構成とする。（請求項４）
また、送信端末には、前記請求項１〜４のいずれか１項に記載の電子データ付名刺に記録された電子データを識別データを基に選択的に読取る読取部を備えた構成とする。（請求項５）
【００１０】
送信端末に電子データ付名刺の記録データを読取り可能にセットするステップと、送信対象に対応した識別データを指定するステップと、前記指定された識別データに関連する電子データを電子データ付名刺から読出すステップと、前記読出された電子データによって送信動作を実行するステップとで、電子データ付名刺の電子データを利用して送信動作を実行する。（請求項６）
【００１１】
送信端末に電子データ付名刺の記録データを読取り可能にセットするステップと、前記電子データ付名刺から電子データを読出すステップと、前記読出された電子データを識別データに対応させて送信端末の記憶手段に蓄積するステップとにより電子データ付名刺を使用して、住所録や電話帳等のアドレスデータの管理を実行する。（請求項７）
また、前記送信端末に電子データ付名刺の記録データを読取り可能にセットするステップは、前記電子データ付名刺の記録された部分を送信端末の読取部に接触又は接近させることによって実行する。（請求項８）
【００１２】
【発明の実施の形態】
本発明の電子データ付名刺を図１を用いて説明する。
図１（ａ）は電子データ付名刺の表面を示している。
図１（ａ）の名刺の表面には、通常の名刺と同様に、当該名刺の本人の氏名や所属の他に、住所、電話番号、ファクシミリ番号、ホームページアドレス及びＥメールアドレス等が記載（印刷）されている。
【００１３】
本発明の電子データ付名刺の特徴は、この名刺の裏面の一例として示す図１（ｂ）の電子データが記録されている点にある。
図１（ｂ）では、名刺の裏面の周辺部の一部のエリアに磁気データとして、名刺の表面の記載（印刷）事項の全てが外部装置で読取り可能に記録されている。
この電子データの記録エリアとしては、図１（ｂ）では名刺の裏面の側面に磁気的に記録されているものを示しているが、必ずしも図示の位置に磁気的に記録する必要はなく、外部装置から読出しが可能であれば、他のエリアに別の記録方法を採用しても良い。
また、磁気的な記録に代えて、電子データの記録されたＩＣチップを名刺の任意のエリアに搭載しても良い。
特に住所、電話番号、ファクシミリ番号、ホームページアドレス及びＥメールアドレスは、識別記号として例えば、「〒」「ＴＥＬ　」「ＦＡＸ」「ｈｔｔｐ：／／ｗｗｗ」「Ｅ−ｍａｉｌ」を使用して外部装置からの電子データの認識を容易にできるように工夫されている。
【００１４】
即ち、携帯端末６から特定の送信対象（例えば）当該名刺に記載のホームページにアクセスする場合には、携帯端末６で送信先としてキー操作等によってホームページを選択して、当該携帯端末６に電子データ付名刺７をセットすると、ホームページのアクセスを指定する識別記号「ｈｔｔｐ：／／ｗｗｗ」に関連するデータのみを直接名刺から読出して送信動作を実行することができる。
また、携帯端末６で送信対象として、電話，ファクシミリ又はＥメールを指定した場合には、「ＴＥＬ」「ＦＡＸ」又は「Ｅ−ｍａｉｌ」の識別記号を基に対応するアドレスを直接読出して送信動作を実行する。
【００１５】
次に本発明のハードウエア構成を図２を用いて説明する。
図２において、本発明の電子データ付名刺１７は、送信端末として使用される携帯電話，ＰＨＳ等の携帯端末１６及びパーソナルコンピュータ等の端末（ｂ）１５を介して通信網（公衆回線網，専用回線及びインターネット網を含み、伝送形態としては有線でも無線でも良い）１１に接続される。
前記携帯端末１６及び端末（ｂ）１５には、電子データ付名刺に記録された電子データを読取る手段及び読取った電子データに基づいて送信処理を実行するプログラムが内蔵されている。
また、前記通信網１には、送信相手としてのインターネットのホームページの設置された端末（サーバ）１２，電話機又はファクシミリ１３及び電子メールの送信対象である端末（ａ）１４が複数接続されている。
【００１６】
上記動作を図３に示すフローチャートに基づいて説明する。
・送信端末に電子データ付名刺の記録データを読取り可能にセットする。（ステップＳ１）
記録データの読取りの形態としては、送信端末に形成された溝部に電子データ付名刺の電子データ記録部を差し込む方法が考えられるが、これに限らず電子データ記録部を送信端末の読取り部に接触させる等に他の手段を採用しても良い。
・ステップＳ１で電子データ付名刺を送信端末にセットした状態で、希望する送信動作に対応した識別データを指定する。（ステップＳ２）
電話，ファクシミリ，ホームページのアクセス、又は、Ｅメール等の希望する送信操作をキー等によって選択して指定する。
・前記指定された識別データに関連する電子アドレスデータ電子データ付名刺から読出す。（ステップＳ３）
識別データによって指定された電子データのみを電子データ付名刺から直接読み出すので操作や時間の無駄が少ない。
・読出された電子データによって送信動作を実行する。（ステップＳ４）
このように本発明の電子データ付名刺を送信端末にセットして、送信対象の指定をするだけで自動的に送信操作が実行できる。
【００１７】
【発明の効果】
請求項１に記載の発明では、名刺の記載者に関連する電子データを外部装置から読取り可能に記録した電子データ付名刺であって、
前記電子データには、氏名、住所、電話番号、ファクシミリ番号、Ｅメール番号及びホームページアドレスの内の少なくとも１つが含ませることによって、名刺交換等で所有している名刺の相手に電話やＥメールを送信しようとする場合に、当該名刺から電話番号やメールのアドレスを読取る際には読取り誤りが生じたり、読取った電話番号やＥメールアドレスの入力ミスも生じるという問題が容易に解決できる。
【００１８】
また、請求項２に記載の発明では、前記電子データの内の、住所、電話番号、ファクシミリ番号、Ｅ−メール番号及びホームページアドレスには識別データが含まれ、該識別データは、「〒」「ＴＥＬ」「ＦＡＸ」「Ｅ−ｍａｉｌ」及び「ｈｔｔｐ：」で構成しているので、送信端末が名刺に記録された種々の電子データ内から必要な電子データの読取りが容易にできる。
また、請求項３に記載の発明では、前記電子データは、名刺の周辺部の一部に磁気的に記録しておくことによって、電子データが磁気的に記録されている部分を送信端末に挿入又は接触等の簡単な操作でセットして、名刺から容易に電子データの読取りを行うことができる。
また、請求項４に記載の発明では、前記電子データは、名刺の周辺部の一部に設けられたＩＣチップに記録する構成とすることによって、ＩＣチップの特性に応じて、名刺のみでなく他の用途にも適用が可能になる。
また、請求項５に記載の発明では、送信端末には、前記請求項１〜４のいずれか１項に記載の電子データ付名刺に記録された電子データを識別データを基に選択的に読取る読取部を備えた手段を追加することによって、従来の携帯電話やパーソナルコンピュータを本発明に係る送信端末として利用できる。
【００１９】
請求項６に記載の発明では、送信端末に電子データ付名刺の記録データを読取り可能にセットするステップと、送信対象に対応した識別データを指定するステップと、前記指定された識別データに関連する電子データを電子データ付名刺から読出すステップと、前記読出された電子データによって送信動作を実行するステップとで、電子データ付名刺の電子データを利用して送信動作を実行するので、名刺交換等で所有している名刺の相手に電話やＥメールを送信しようとする場合に、当該名刺から電話番号やメールのアドレスを読取る際には読取り誤りが生じたり、読取った電話番号やＥメールアドレスの入力ミスを防止できる。
【００２０】
請求項７に記載の発明では、送信端末に電子データ付名刺の記録データを読取り可能にセットするステップと、前記電子データ付名刺から電子データを読出すステップと、前記読出された電子データを識別データに対応させて送信端末の記憶手段に蓄積するステップとにより電子データ付名刺を使用して、住所録や電話帳等の整理が簡単にできる。
また、請求項８に記載の発明では、前記送信端末に電子データ付名刺の記録データを読取り可能にセットするステップは、前記電子データ付名刺の記録された部分を送信端末の読取部に接触又は接近させる構成であるので、電子データの記録の態様に応じて最適な読取り方法を採用できる。
【図面の簡単な説明】
【図１】本発明の電子データ付名刺の外観を示す図である。
【図２】本発明の電子データ付名刺の使用時の構成を示す図である。
【図３】本発明の電子データ付名刺によって送信端末から送信する手順を示すフローチャートである。
【図４】従来のウェブページ閲覧カードの一実施例を示す図である。
【符号の説明】
１１　　　通信網
１２　　　端末（ホームページのサーバ）
１３　　　受信電話機又はファクシミリ
１４　　　受信端末（ａ）（パソコン）
１５　　　送信端末（ｂ）（パソコン）
１６　　　送信端末（携帯電話，ＰＨＳ等）
１７　　　電子データ付与名刺
【図１】
2004090339.tif 000003
【図２】
2004090339.tif 000004
【図３】
2004090339.tif 000005
【図４】
2004090339.tif 000006